【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】画像送信装置、画像受信装置及び制御方法
【手続補正２】
【補正対象書類名】明細書
【補正対象項目名】特許請求の範囲
【補正方法】変更
【補正の内容】
【特許請求の範囲】
【請求項１】
１画面分の圧縮画像データをｎ個のパケットデータに分割する分割手段と、
前記パケットデータの夫々に対して画面間の順番を示す画面番号とパケットデータ間の順番を示すパケット番号とを設定する設定手段と、
前記パケットデータと、前記パケットデータに設定された前記画面番号及び前記パケット番号とを含むパケットを送信する送信手段とを有することを特徴とする画像送信装置。
【請求項２】
前記送信手段は、前記パケットを１つ以上のデータ列に分割し、前記１つ以上のデータ列を１つ以上の拡散符号を用いて変調すること特徴とする請求項１に記載の画像送信装置。
【請求項３】
前記送信手段は、スペクトラム拡散通信を用いて前記パケットを送信することを特徴とする請求項１又は２に記載の画像送信装置。
【請求項４】
画像送信装置の制御方法であって、
１画面分の圧縮画像データをｎ個のパケットデータに分割する分割工程と、
前記パケットデータの夫々に対して画面間の順番を示す画面番号とパケットデータ間の順番を示すパケット番号とを設定する設定工程と、
前記パケットデータと、前記パケットデータに設定された前記画面番号及び前記パケット番号とを含むパケットを送信する送信工程とを有することを特徴とする制御方法。
【請求項５】
前記送信工程は、前記パケットを１つ以上のデータ列に分割し、前記１つ以上のデータ列を１つ以上の拡散符号を用いて変調すること特徴とする請求項４に記載の制御方法。
【請求項６】
前記送信工程は、スペクトラム拡散通信を用いて前記パケットを送信することを特徴とする請求項４又は５に記載の制御方法。
【請求項７】
１画面分の圧縮画像データの一部と、画面間の順番を示す画面番号と、パケット間の順番を示すパケット番号とを含むパケットを受信する受信手段と、
前記圧縮画像データの一部を記憶する記憶手段と、
前記画面番号と前記パケット番号とを用いて前記パケットの連続性を判別する判別手段と、
前記判別手段の判別結果に応じて前記記憶手段を制御する制御手段とを有することを特徴とする画像受信装置。
【請求項８】
前記制御手段は、前記パケットの連続性が判別されなかった場合、前記パケットに含まれる圧縮画像データの一部を記憶しないように前記記憶手段を制御することを特徴とする請求項７に記載の画像受信装置。
【請求項９】
前記制御手段は、前記パケットの連続性が判別されなかった場合、すでに前記記憶手段に記憶されている１画面分の圧縮画像データを前記記憶手段から読み出すように前記記憶手段を制御することを特徴とする請求項７又は８に記載の画像受信装置。
【請求項１０】
前記受信手段は、スペクトラム拡散通信を用いて前記パケットを受信することを特徴とする請求項７から９の何れかに記載の画像受信装置。
【請求項１１】
画像受信装置の制御方法であって、
１画面分の圧縮画像データの一部と、画面間の順番を示す画面番号と、パケット間の順番を示すパケット番号とを含むパケットを受信する受信工程と、
前記圧縮画像データの一部を記憶手段に書き込む書き込み工程と、
前記画面番号と前記パケット番号とを用いて前記パケットの連続性を判別する判別工程と、
前記判別手段の判別結果に応じて前記記憶手段を制御する制御工程とを有することを特徴とする制御方法。
【請求項１２】
前記制御工程は、前記パケットの連続性が判別されなかった場合、前記パケットに含まれる圧縮画像データの一部を記憶しないように前記記憶手段を制御することを特徴とする請求項１１に記載の制御方法。
【請求項１３】
前記制御工程は、前記パケットの連続性が判別されなかった場合、すでに前記記憶手段に記憶されている１画面分の圧縮画像データを前記記憶手段から読み出すように前記記憶手段を制御することを特徴とする請求項１１又は１２に記載の制御方法。
【請求項１４】
前記受信工程は、スペクトラム拡散通信を用いて前記パケットを受信することを特徴とする請求項１１から１３の何れかに記載の制御方法。
【手続補正３】
【補正対象書類名】明細書
【補正対象項目名】０００１
【補正方法】変更
【補正の内容】
【０００１】
【発明の属する技術分野】
本発明は、画像を送信する画像送信装置、画像を受信する画像受信装置及びそれらの制御方法に関する。
【手続補正４】
【補正対象書類名】明細書
【補正対象項目名】００１０
【補正方法】変更
【補正の内容】
【００１０】
本発明は、上述のような問題を解決することができる画像送信装置、画像受信装置及びそれらの制御方法を提供することを目的とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
【課題を解決するための手段】
本発明に係る画像送信装置は、１画面分の圧縮画像データをｎ個のパケットデータに分割する分割手段と、前記パケットデータの夫々に対して画面間の順番を示す画面番号とパケットデータ間の順番を示すパケット番号とを設定する設定手段と、前記パケットデータと、前記パケットデータに設定された前記画面番号及び前記パケット番号とを含むパケットを送信する送信手段とを有することを特徴とする。
【手続補正７】
【補正対象書類名】明細書
【補正対象項目名】００１３
【補正方法】変更
【補正の内容】
【００１３】
本発明に係る制御方法は、画像送信装置の制御方法であって、１画面分の圧縮画像データをｎ個のパケットデータに分割する分割工程と、前記パケットデータの夫々に対して画面間の順番を示す画面番号とパケットデータ間の順番を示すパケット番号とを設定する設定工程と、前記パケットデータと、前記パケットデータに設定された前記画面番号及び前記パケット番号とを含むパケットを送信する送信工程とを有することを特徴とする。
【手続補正８】
【補正対象書類名】明細書
【補正対象項目名】００１４
【補正方法】変更
【補正の内容】
【００１４】
本発明に係る画像受信装置は、１画面分の圧縮画像データの一部と、画面間の順番を示す画面番号と、パケット間の順番を示すパケット番号とを含むパケットを受信する受信手段と、前記圧縮画像データの一部を記憶する記憶手段と、前記画面番号と前記パケット番号とを用いて前記パケットの連続性を判別する判別手段と、前記判別手段の判別結果に応じて前記記憶手段を制御する制御手段とを有することを特徴とする。
【手続補正９】
【補正対象書類名】明細書
【補正対象項目名】００１５
【補正方法】変更
【補正の内容】
【００１５】
本発明に係る他の制御方法は、画像受信装置の制御方法であって、１画面分の圧縮画像データの一部と、画面間の順番を示す画面番号と、パケット間の順番を示すパケット番号とを含むパケットを受信する受信工程と、前記圧縮画像データの一部を記憶手段に書き込む書き込み工程と、前記画面番号と前記パケット番号とを用いて前記パケットの連続性を判別する判別工程と、前記判別手段の判別結果に応じて前記記憶手段を制御する制御工程とを有することを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
【発明の実施の形態】
以下、本発明の実施例について図面を用いて詳細に説明する。
【手続補正１６】
【補正対象書類名】明細書
【補正対象項目名】００８１
【補正方法】削除
【補正の内容】
【手続補正１７】
【補正対象書類名】明細書
【補正対象項目名】００８２
【補正方法】削除
【補正の内容】